(57)【要約】【課題】光変調装置を効率良く冷却しつつ、小型化や薄型化が可能なプロジェクターを提供する。【解決手段】プロジェクターは、第１、第２の光変調装置と、冷却装置８と、を備える。光変調装置は、入射した色光を変調する変調装置本体と、変調装置本体を駆動するための集積回路が設けられ、一端が変調装置本体に接続されたフレキシブル基板５３と、集積回路またはフレキシブル基板に当接するベース部を有し、集積回路の熱を放熱する第１、第２の放熱部６１，６２と、を備え、冷却装置８は、冷却ファン８１から送風された冷却空気を第１、第２の光変調装置の順で導く第１流路１０Ｆを形成するダクト部９を備え、第１、第２の光変調装置のそれぞれの第１、第２の放熱部６１，６２は、少なくとも一部が第１流路１０Ｆ内に配置されている。【選択図】図９
2018017963.tif 000002
【特許請求の範囲】
【請求項１】
複数の光変調装置と、前記複数の光変調装置を冷却する冷却装置と、を備えたプロジェクターであって、
前記複数の光変調装置は、
第１の色光を変調する第１の光変調装置と、
前記第１の光変調装置と隣り合うように配置され、第２の色光を変調する第２の光変調装置と、
を備え、
前記第１および前記第２の光変調装置は、それぞれ、
入射した色光を変調する変調装置本体と、
前記変調装置本体を駆動するための集積回路が設けられ、一端が前記変調装置本体に接続されたフレキシブル基板と、
前記集積回路または前記フレキシブル基板に当接するベース部を有し、前記集積回路の熱を放熱する放熱部と、
を備え、
前記冷却装置は、
冷却空気を送風する冷却ファンと、
前記冷却空気を前記第１の光変調装置の前記第２の光変調装置とは反対側から、前記第１の光変調装置に導いた後に前記第２の光変調装置に導く第１流路を形成するダクト部と、
を備え、
前記第１の光変調装置および前記第２の光変調装置のそれぞれの前記放熱部は、少なくとも一部が前記第１流路内に配置されていることを特徴とするプロジェクター。
【請求項２】
請求項１に記載のプロジェクターであって、
前記放熱部は、
前記ベース部から前記集積回路とは反対側に突出し、前記第１流路内に配置される複数の突起部を有し、
前記複数の突起部は、前記第１流路における前記冷却空気が流れる第１方向に直交し、かつ、前記ベース部に沿う第２方向において複数配設され、互いに隣り合う前記突起部の間に前記冷却空気が流通可能に離間していることを特徴とするプロジェクター。
【請求項３】
請求項２に記載のプロジェクターであって、
前記複数の突起部は、前記第１方向において複数配設され、互いに隣り合う突起部の間に前記第２方向に流れる空気が流通可能に離間していることを特徴とするプロジェクター。
【請求項４】
請求項１〜請求項３のいずれか一項に記載のプロジェクターであって、
前記放熱部は、前記集積回路を挟んで配置された第１の放熱部および第２の放熱部を有していることを特徴とするプロジェクター。
【請求項５】
請求項３または請求項４に記載のプロジェクターであって、
前記複数の光変調装置は、
第３の色光を変調する第３の光変調装置を備え、
前記ダクト部は、前記冷却ファンから送風された冷却空気を前記第３の光変調装置に導き、当該第３の光変調装置において、前記第２方向に流通させる第２流路を形成し、
前記第３の光変調装置は、前記放熱部が前記変調装置本体よりも前記第２流路の下流側に配置されていることを特徴とするプロジェクター。
【請求項６】
請求項１〜請求項４のいずれか一項に記載のプロジェクターであって、
前記放熱部は、前記ベース部の前記変調装置本体とは反対側の端部から屈曲し、前記フレキシブル基板から離間する方向に延出する屈曲部を有していることを特徴とするプロジェクター。
【発明の詳細な説明】
【技術分野】
【０００１】
本発明は、プロジェクターに関する。
【背景技術】
【０００２】
従来、光源と、光源から射出された光を変調する光変調装置と、変調された光を投写する投写光学装置とを備えたプロジェクターが知られている。そして、この光変調装置を冷却するための技術が提案されている（例えば、特許文献１参照）。
また、光変調装置の保持構造を備えたプロジェクターが提案されている（例えば、特許文献２参照）。
【０００３】
特許文献１に記載のプロジェクター（投写型表示装置）は、光変調装置（液晶パネル）と、液晶パネルの光入射側、光射出側にそれぞれ配置された偏光子、検光子と、冷却ファンとを備えている。冷却ファンは、遠心ファンで構成され、液晶パネル、偏光子および検光子に併設されている。そして、特許文献１に記載のプロジェクターは、冷却ファンの駆動によって、３つの部材の間に空気を流通させ、３つの部材を冷却するように構成されている。
【０００４】
特許文献２のプロジェクターは、光変調装置を収納するフレーム、光変調装置に接続されたフレキシブル基板（フレキシブルプリント基板）を備えている。フレームは、光変調装置を収納する枠部および放熱部を有している。放熱部は、枠部の上端から突出して平面視矩形状に形成され、フレキシブル基板の一部に沿うように形成されている。そして、特許文献２には、枠部と放熱部とが併設された方向（上下方向）に延出する突起が設けられた放熱部の図面が開示されている。
【先行技術文献】
【特許文献】
【０００５】
【特許文献１】特開２００１−１２５０５７号公報
【特許文献２】特開２０１４−３２３３９号公報
【発明の概要】
【発明が解決しようとする課題】
【０００６】
特許文献２に記載の放熱部は、フレキシブル基板に設けられた回路素子（光変調装置を駆動するための回路素子）の熱を放熱するためのものと考えられる。そして、この放熱部には、上下方向に延出する突起が設けられていることから、特許文献２に記載の光変調装置および回路素子の冷却は、特許文献１に記載の技術等を用いて、上下方向に冷却空気を流通させることにより行うものと考えられる。
しかしながら、上述した技術では、光変調装置の下方に空気を流通させる空間を必要とするため、上下方向の大きさが増し、プロジェクターが大型化するという課題がある。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、複数の光変調装置と、前記複数の光変調装置を冷却する冷却装置と、を備えたプロジェクターであって、前記複数の光変調装置は、第１の色光を変調する第１の光変調装置と、前記第１の光変調装置と隣り合うように配置され、第２の色光を変調する第２の光変調装置と、を備え、前記第１および前記第２の光変調装置は、それぞれ、入射した色光を変調する変調装置本体と、前記変調装置本体を駆動するための集積回路が設けられ、一端が前記変調装置本体に接続されたフレキシブル基板と、前記集積回路または前記フレキシブル基板に当接するベース部を有し、前記集積回路の熱を放熱する放熱部と、を備え、前記冷却装置は、冷却空気を送風する冷却ファンと、前記冷却空気を前記第１の光変調装置の前記第２の光変調装置とは反対側から、前記第１の光変調装置に導いた後に前記第２の光変調装置に導く第１流路を形成するダクト部と、を備え、前記第１の光変調装置および前記第２の光変調装置のそれぞれの前記放熱部は、少なくとも一部が前記第１流路内に配置されていることを特徴とする。
【０００９】
この構成によれば、冷却装置は、冷却空気を第１の光変調装置に導いた後に第２の光変調装置に導く第１流路を有する。すなわち、第１流路は、第１の光変調装置の側方（第１の光変調装置の第２の光変調装置とは反対側）から第１、第２の光変調装置の順で冷却空気を流通させる。そして、この第１流路内には、放熱部の少なくとも一部が配置されている。これによって、ダクト部における第１流路を形成する部位の厚み（第１流路に冷却空気が流れる方向に直交する方向の寸法）を小さく形成しつつ、変調装置本体はもとより、集積回路の効率的な冷却が可能となる。よって、第１、第２の光変調装置を効率良く冷却しつつ、小型化や薄型化が可能なプロジェクターを提供することが可能となる。
【００１０】
［適用例２］上記適用例に係るプロジェクターにおいて、前記放熱部は、前記ベース部から前記集積回路とは反対側に突出し、前記第１流路内に配置される複数の突起部を有し、前記複数の突起部は、前記第１流路における前記冷却空気が流れる第１方向に直交し、かつ、前記ベース部に沿う第２方向において複数配設され、互いに隣り合う前記突起部の間に前記冷却空気が流通可能に離間していることが好ましい。
【００１１】
この構成によれば、放熱部は、複数の突起部を有しているので、表面積が大きく形成される。また、複数の突起部は、第１流路内に配置され、第２方向に複数配設され、上述したように離間している。これによって、第１流路内の突起部における滞留を抑え、冷却空気を第１方向に滑らかに流通させることが可能となる。よって、集積回路のより効率的な冷却が可能となるので、放熱部の小型化、ひいてはプロジェクターのより小型化や薄型化が可能となる。
【００１２】
［適用例３］上記適用例に係るプロジェクターにおいて、前記複数の突起部は、前記第１方向において複数配設され、互いに隣り合う突起部の間に前記第２方向に流れる空気が流通可能に離間していることが好ましい。
【００１３】
この構成によれば、複数の突起部は、さらに第１方向において複数配設され、上述したように離間している。これによって、放熱部は、さらに表面積が大きくなると共に、冷却空気を第１方向に加え、第１方向に交差する方向においても空気を流通させることが可能となる。よって、集積回路のさらに効率的な冷却が可能となるので、放熱部のさらなる小型化、ひいてはプロジェクターのさらなる小型化や薄型化が可能となる。
【００１４】
［適用例４］上記適用例に係るプロジェクターにおいて、前記放熱部は、前記集積回路を挟んで配置された第１の放熱部および第２の放熱部を有していることが好ましい。
【００１５】
この構成によれば、集積回路は、第１、第２の放熱部によって両側が放熱されるので、より効率的に冷却される。よって、放熱部の第２方向における小型化、ひいてはプロジェクターのさらなる小型化や薄型化が可能となる。
【００１６】
［適用例５］上記適用例に係るプロジェクターにおいて、前記複数の光変調装置は、第３の色光を変調する第３の光変調装置を備え、前記ダクト部は、前記冷却ファンから送風された冷却空気を前記第３の光変調装置に導き、当該第３の光変調装置において、前記第２方向に流通させる第２流路を形成し、前記第３の光変調装置は、前記放熱部が前記変調装置本体よりも前記第２流路の下流側に配置されていることが好ましい。
【００１７】
この構成によれば、冷却ファンから送風された冷却空気の一部を第１流路に流通させ、残部を第２流路に流通させることができる。これによって、冷却空気を２つの流路に流通させるので、第１〜第３の光変調装置の効率的な冷却が可能となる。
また、第２流路に流通する冷却空気は、第３の光変調装置に対して第２方向に流れ、第３の光変調装置は、放熱部が変調装置本体よりも第２流路の下流側に配置されている。そして、この放熱部の複数の突起部は、第２方向において空気が流通するように離間して形成されている。これによって、この突起部における滞留を抑え、冷却空気を第２方向に滑らかに流通させることが可能になると共に、集積回路の放熱により温まった空気を変調装置本体とは反対側に流通させることができる。よって、第３の光変調装置の効率的な冷却が可能となる。
また、放熱部の複数の突起部は、第１方向および第２方向において空気が流通するように離間して形成されている。これによって、第１、第２の光変調装置と第３の光変調装置とで冷却空気が流れる方向が異なっても、各光変調装置が備える変調装置本体および集積回路を効率よく冷却することが可能となる。よって、第１〜第３の光変調装置の放熱部を共通の部材で構成できることによる部品製造の合理化やプロジェクター製造の簡素化が可能となる。
【００１８】
［適用例６］上記適用例に係るプロジェクターにおいて、前記放熱部は、前記ベース部の前記変調装置本体とは反対側の端部から屈曲し、前記フレキシブル基板から離間する方向に延出する屈曲部を有していることが好ましい。
【００１９】
この構成によれば、放熱部には、屈曲部が設けられているので、表面積が大きく形成される。よって、集積回路のさらに効率的な冷却が可能となるので、放熱部のさらなる小型化、ひいてはプロジェクターのさらなる小型化や薄型化が可能となる。
【図面の簡単な説明】
【００２０】
【図１】本実施形態のプロジェクターの概略構成を示す模式図。
【図２】本実施形態の光学装置の斜視図。
【図３】本実施形態の光変調装置を光入射側から見た斜視図。
【図４】本実施形態の光変調装置を光射出側から見た斜視図。
【図５】本実施形態の光変調装置の断面図。
【図６】本実施形態の光学装置および冷却装置を上方斜めから見た斜視図。
【図７】本実施形態の光学装置および冷却装置を下方斜めから見た斜視図。
【図８】本実施形態の光学装置および冷却装置の断面斜視図。
【図９】本実施形態の光学装置および冷却装置の断面斜視図。
【図１０】図９におけるＡ部の拡大図。
【図１１】本実施形態の光学装置および冷却装置の断面図。
【図１２】変形例の第１、第２の放熱部およびダクト部の一部を示す断面図。
【発明を実施するための形態】
【００２１】
以下、本実施形態に係るプロジェクターについて、図面を参照して説明する。
本実施形態のプロジェクターは、光源から射出された光を画像情報に応じて変調してスクリーン等の投写面に拡大投写する。
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、および冷却装置８を備えている。なお、図示は省略するが、外装筐体２の内部には、さらに、光源装置３１や制御部に電力を供給する電源装置等が配置されている。
【００２２】
外装筐体２は、詳細な説明は省略するが、合成樹脂製の部材等が複数組み合わされて構成されている。そして、外装筐体２には、外気を取り込むための吸気口、および外装筐体２内部の温まった空気を外部に排気する排気口（いずれも図示省略）等が設けられている。
【００２３】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２４】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置４、投写光学装置としての投写レンズ３６、ヘッド体３７、およびこれらの部材を光路上の所定位置に配置する光学部品用筐体３８を備えている。
【００２５】
光源装置３１は、超高圧水銀ランプやメタルハライドランプ等からなる放電型の光源３１１およびリフレクター３１２等を備え、光源３１１から射出された光をリフレクター３１２にて反射し、インテグレーター照明光学系３２に向けて射出する。
【００２６】
インテグレーター照明光学系３２は、第１レンズアレイ３２１、第２レンズアレイ３２２、偏光変換素子３２３、および重畳レンズ３２４を備える。第１レンズアレイ３２１、第２レンズアレイ３２２、および重畳レンズ３２４は、光源装置３１から射出された光を複数の部分光に分割し、この部分光を後述する液晶パネルの表面に略重畳させる。偏光変換素子３２３は、第２レンズアレイ３２２から射出されたランダム光を液晶パネルで利用可能な略１種類の偏光光に揃える。
【００２７】
色分離光学系３３は、２枚のダイクロイックミラー３３１，３３２、および反射ミラー３３３を備え、インテグレーター照明光学系３２から射出された光を第１の色光（青色光、以下「Ｂ光」という）、第２の色光（緑色光、以下「Ｇ光」という）、第３の色光（赤色光、以下「Ｒ光」という）の３色の色光に分離する。
【００２８】
リレー光学系３４は、入射側レンズ３４１、リレーレンズ３４３、および反射ミラー３４２，３４４を備え、色分離光学系３３で分離されたＢ光をＢ光用の液晶パネルまで導く機能を有する。なお、光学ユニット３は、リレー光学系３４がＢ光を導く構成としているが、これに限らず、例えば、Ｒ光を導く構成としてもよい。
【００２９】
図２は、光学装置４の斜視図である。
光学装置４は、図１、図２に示すように、各色光用に設けられた電気光学装置４０（Ｒ光用の電気光学装置を４０Ｒ、Ｇ光用の電気光学装置を４０Ｇ、Ｂ光用の電気光学装置を４０Ｂとする）、および色合成光学装置４００を備える。
電気光学装置４０Ｂ，４０Ｇ，４０Ｒのそれぞれは、入射側偏光板４１、光変調装置５、射出側偏光板４２、および支持部４３（図２参照）を備えている。電気光学装置４０Ｂの光変調装置５を第１の光変調装置５Ｂ、電気光学装置４０Ｇの光変調装置５を第２の光変調装置５Ｇ、電気光学装置４０Ｒの光変調装置５を第３の光変調装置５Ｒとする。
【００３０】
各色光用の入射側偏光板４１は、色分離光学系３３で分離された各色光のうち、偏光変換素子３２３で揃えられた偏光光を透過し、その偏光光と異なる偏光光を吸収して各色光用の光変調装置５に射出する。入射側偏光板４１は、ガラス板（図示省略）に貼り付けられる。そして、電気光学装置４０Ｂ，４０Ｇの入射側偏光板４１は、冷却装置８の後述するダクト部９（図７参照）に配置され、電気光学装置４０Ｒの入射側偏光板４１は、光学部品用筐体３８に配置される。
【００３１】
各色光用の光変調装置５は、各色光用の入射側偏光板４１から射出された各色光を画像情報に応じて変調する。具体的に、第１の光変調装置５Ｂは、Ｂ光用の入射側偏光板４１から射出されたＢ光を変調し、第２の光変調装置５Ｇは、Ｇ光用の入射側偏光板４１から射出されたＧ光を変調する。そして、第３の光変調装置５Ｒは、Ｒ光用の入射側偏光板４１から射出されたＲ光を変調する。光変調装置５については、後で詳細に説明する。
各色光用の射出側偏光板４２は、入射側偏光板４１と略同様の機能を有し、光変調装置５から射出された色光のうち一定方向の偏光光を透過し、その偏光光と異なる偏光光を吸収して色合成光学装置４００に射出する。
【００３２】
支持部４３は、詳細な説明は省略するが、板金からプレス加工により形成された部材を備え、図２に示すように、光変調装置５を遊嵌支持する腕部４３１、光変調装置５の両側に開口部４３２ｈが形成された延出部４３２、延出部４３２の先端部に形成された切欠き４３３を有している。また、支持部４３は、射出側偏光板４２を支持する。
支持部４３は、光変調装置５および射出側偏光板４２を支持した状態で、治具（図示省略）による光変調装置５の把持、および切欠きへの係合が可能に形成されている。そして、光変調装置５は、この治具が移動されることによって位置が調整され、遊嵌支持された腕部４３１に接着固定される。また、光変調装置５が固定された支持部は、色合成光学装置４００に対する位置が調整され、色合成光学装置４００に接着固定される。なお、射出側偏光板４２は、色合成光学装置４００の光入射側端面に貼り付けられる構成であってもよい。
【００３３】
色合成光学装置４００は、４つの直角プリズムを貼り合わせた平面視略正方形状をなすクロスダイクロイックプリズムを備え、直角プリズム同士を貼り合わせた界面には、２つの誘電体多層膜が形成されている。色合成光学装置４００は、３つの光入射側端面、および１つの光射出側端面を有している。電気光学装置４０Ｂ，４０Ｇ，４０Ｒは、それぞれが３つの光入射側端面個別に対向して配置される。また、プロジェクター１が机上等に据え置かれた姿勢において、電気光学装置４０Ｂ，４０Ｇ，４０Ｒは、上方から見て、この順で、色合成光学装置４００を中心に反時計回りに配置される（図１参照）。また、第２の光変調装置５Ｇは、第１の光変調装置５Ｂと隣り合うように配置され、第３の光変調装置５Ｒは、光変調装置５Ｇと隣り合うように配置されている。そして、色合成光学装置４００は、電気光学装置を４０Ｂ，４０Ｒから射出されたＢ光およびＲ光を反射し、電気光学装置を４０Ｇから射出されたＧ光を透過して、３色の変調された光を合成する。
【００３４】
投写レンズ３６は、複数のレンズ（図示省略）を有し、色合成光学装置４００にて合成され、色合成光学装置４００の射出側端面から射出された光をスクリーン等の投写面ＳＣ上に拡大投写する。
【００３５】
ヘッド体３７は、光学装置４および投写レンズ３６を支持し、光学部品用筐体３８に取り付けられる。ヘッド体３７は、図１に示すように、色合成光学装置４００の上面に接着固定されたプリズム支持部３７１、および色合成光学装置４００の前方に位置するヘッド体本体３７２を備えている。そして、プリズム支持部３７１は、ヘッド体本体３７２にネジ固定される。
ヘッド体本体３７２は、色合成光学装置４００から射出された光が通過する光通過用開口部を有し、光学部品用筐体３８にねじ固定される。
【００３６】
冷却装置８は、図１に示すように、投写レンズ３６の側方に配置された冷却ファン８１、およびダクト部９を備え、光学装置４を冷却する。なお、図示は省略するが、プロジェクター１は、冷却装置８に加え、外装筐体２の排気口（図示省略）近傍に配置された排気ファンや、この排気ファンに空気を導くダクト部材等を備えている。冷却装置８については後で詳細に説明する。
【００３７】
〔光変調装置の構成〕
ここで、光変調装置５について詳細に説明する。
図３は、光変調装置５を光入射側から見た斜視図である。図４は、光変調装置５を光射出側から見た斜視図である。図５は、光変調装置５の断面図である。
光変調装置５は、図３〜図５に示すように、変調装置本体としての液晶パネル５１、防塵ガラス５２Ｎ，５２Ｓ、フレキシブル基板５３、第１の放熱部６１、第２の放熱部６２、およびこれらの部材を保持する保持部７を備えている。
【００３８】
液晶パネル５１は、一対の透明基板に液晶が密閉封入されて形成され、図示しない微小画素がマトリックス状に形成された矩形状の画素領域を有している。
防塵ガラス５２Ｎは、液晶パネル５１の光入射側に配置され、防塵ガラス５２Ｓは、液晶パネル５１の光射出側に配置されている。すなわち、光変調装置５は、防塵ガラス５２Ｎから入射した光を変調し、変調した光を防塵ガラス５２Ｓから射出する。
【００３９】
フレキシブル基板５３は、一端が液晶パネル５１に接続され、他端が制御部に接続されている。また、フレキシブル基板５３には、液晶パネル５１側の端部近傍に液晶パネル５１を駆動するための集積回路５３１（図５参照）が設けられている。集積回路５３１は、フレキシブル基板５３の光射出側の面に設けられ、液晶パネル５１に併設される。液晶パネル５１は、フレキシブル基板５３を介して制御部から入力された駆動信号に応じて液晶の配向状態が制御され、画素領域内に表示画像を形成する。
【００４０】
なお、以下では、説明の便宜上、光変調装置５に注目して以下のように方向を定義する。液晶パネル５１の光軸に沿う方向（液晶パネルの画素に直交する方向）をＸ方向、Ｘ方向に直交し、液晶パネル５１と集積回路５３１とが併設される方向をＺ方向、Ｘ方向およびＺ方向に直交する方向をＹ方向とする。そして、Ｘ方向における防塵ガラス５２Ｓ側を＋Ｘ側、Ｚ方向における集積回路５３１側を＋Ｚ側、図３の図面視における右側を＋Ｙ側とする。Ｚ方向は、プロジェクター１が机上等に据え置かれた姿勢における上下方向となり、＋Ｚ側が上側となる。また、＋Ｙ方向は第１方向に相当し、＋Ｚ方向は第２方向に相当する。
【００４１】
第１の放熱部６１および第２の放熱部６２は、図５に示すように、集積回路５３１を挟んで配置され、集積回路５３１の熱を放熱する。
第１の放熱部６１は、アルミニウム等で形成され、フレキシブル基板５３の−Ｘ側（光入射側）に配置されている。また、第１の放熱部６１は、保持部７の後述するパネル枠部７１と一体に形成されている。
第１の放熱部６１は、フレキシブル基板５３の集積回路５３１とは反対側に当接するベース部６１１、およびベース部６１１から集積回路５３１とは反対側に突出する複数の突起部６１２を有している。
ベース部６１１は、Ｙ−Ｚ平面に沿う矩形の板状に形成され、各突起部６１２は、円柱状に形成されている。複数の突起部６１２は、Ｙ方向およびＺ方向に複数配設され、互いに隣り合う突起部６１２の間に、この２方向に流れる空気が流通可能に離間している。このように、複数の突起部６１２は、マトリックス状に配設されている。
【００４２】
第２の放熱部６２は、アルミニウム等で形成され、フレキシブル基板５３の＋Ｘ側（光射出側）に配置されている。第２の放熱部６２は、集積回路５３１に対向して配置されるベース部６２１、およびベース部６２１から集積回路５３１とは反対側に突出する複数の突起部６２２を有している。集積回路５３１と第２の放熱部６２との間には、空隙が存在するが、当該空隙に樹脂材料や接着剤を充填することにより、集積回路５３１で生じた熱が、第２の放熱部６２に伝達可能に形成される。
ベース部６２１は、Ｙ−Ｚ平面に沿う矩形の板状に形成されており、保持部７の後述する第３固定板７４を用いて固定されている。
各突起部６２２は、突起部６１２と同様に、円柱状に形成され、Ｙ方向およびＺ方向に複数配設されている。そして、複数の突起部６２２は、互いに隣り合う突起部６２２の間に、この２方向に流れる空気が流通可能に離間している。このように、複数の突起部６２２は、複数の突起部６１２と同様に、マトリックス状に配設されている。
なお、突起部６１２，６２２は、円柱状に限らず、例えば、直方体状から角部がＲ面やＣ面に面取りされた形状であってもよい。
【００４３】
保持部７は、図３〜図５に示すように、パネル枠部７１、第１固定板７２、第２固定板７３、および第３固定板７４を備えている。
パネル枠部７１は、第１の放熱部６１の下方に設けられ、前述したように、第１の放熱部６１と一体に形成されている。
パネル枠部７１は、平面視矩形状に形成され、防塵ガラス５２Ｎ，５２Ｓが取り付けられた液晶パネル５１が＋Ｘ側（色合成光学装置４００側）から収納される凹部７１１（図５参照）を有している。また、パネル枠部７１の四隅には、前述した腕部４３１（図２参照）が挿通される貫通孔７１ｈ（図４参照）が設けられている。なお、図３に示すように、パネル枠部７１と第１の放熱部６１とは、Ｙ方向における両側が繋がり、中央部が互いに離間するように形成されている。このように、パネル枠部７１と第１の放熱部６１とが一部で繋がるように形成されていることにより、第１の放熱部６１の熱がパネル枠部７１に伝わりにくくなるように形成されている。
【００４４】
第１固定板７２は、板金からプレス加工により形成されており、図３に示すように、パネル枠部７１の−Ｘ側に配置される枠部、およびこの枠部のＹ方向における両側から屈曲する屈曲部を有している。枠部には、入射側偏光板４１から射出された色光が通過する光通過用開口部７２１が形成され、屈曲部には、矩形状の孔が設けられている。第１固定板７２は、パネル枠部７１の側面に形成された突起に矩形状の孔の縁部が係止されてパネル枠部７１に固定される。
【００４５】
第２固定板７３は、板金からプレス加工により形成されており、図４に示すように、パネル枠部７１の＋Ｘ側に配置される枠部、およびこの枠部のＹ方向における両側から屈曲する屈曲部を有している。枠部には、液晶パネル５１から射出された色光が通過する光通過用開口部７３１が形成され、屈曲部には、矩形状の孔が設けられている。第２固定板７３は、パネル枠部７１の側面に形成された突起に矩形状の孔の縁部が係止されてパネル枠部７１に固定される。そして、第２固定板７３は、パネル枠部７１とで防塵ガラス５２Ｎ，５２Ｓが取り付けられた液晶パネル５１を挟持する。
【００４６】
第３固定板７４は、板金からプレス加工により形成されており、図４に示すように、第２の放熱部６２のベース部６２１に当接される当接部７４１、および当接部７４１のＹ方向における両側から屈曲する屈曲部７４２を有している。当接部７４１には、複数の突起部６２２のうちの一部を露出させる開口部が設けられ、屈曲部７４２には、矩形状の孔が設けられている。第３固定板７４は、第１の放熱部６１の側面に形成された突起に矩形状の孔の縁部が係止されて第１の放熱部６１に固定される。第２の放熱部６２は、第３固定板７４と第１の放熱部６１とに挟持されて固定される。
【００４７】
光変調装置５は、前述したように、支持部４３に支持され、位置が調整される。光変調装置５の両側に設けられた支持部４３の開口部４３２ｈは、光変調装置５に対してＹ方向に開口している。すなわち、電気光学装置４０は、支持部４３が光変調装置５および射出側偏光板４２を支持した状態で、Ｙ方向およびＺ方向に冷却空気を流通可能に構成されている。
【００４８】
〔冷却装置の構成〕
次に、冷却装置８について詳細に説明する。
冷却装置８は、前述したように、冷却ファン８１およびダクト部９を備える。図６は、光学装置４および冷却装置８を上方斜めから見た斜視図である。
冷却ファン８１は、図６に示すように、回転軸に沿って取り込んだ空気を回転接線方向に吐出するシロッコファンで構成されている。冷却ファン８１は、図６に示すように、吸気口８１１が上側を向き、送風口８１２が電気光学装置４０Ｂを向いて配置されている。
【００４９】
ダクト部９は、冷却ファン８１から送風された冷却空気を電気光学装置４０Ｒ，４０Ｇ，４０Ｂに導く。
図７は、光学装置４および冷却装置８を下方斜めから見た斜視図である。
ダクト部９は、複数の部材が組み合わされて構成され、図６、図７に示すように、空気導入部９１、第１流路形成部９２、および第２流路形成部９３を有している。
空気導入部９１は、筒状に形成され、一端側が冷却ファン８１の送風口８１２を囲み、他端側が電気光学装置４０Ｂに向かって延出している。具体的に、空気導入部９１は、図６、図７に示すように、上側を形成する上面部９１ａ、下側を形成する下面部９１ｂ、上面部９１ａおよび下面部９１ｂのそれぞれの両側を繋ぐ側面部９１ｃを有している。
そして、空気導入部９１は、冷却ファン８１から送風された冷却空気を導入し、第１流路形成部９２および第２流路形成部９３に導く。
【００５０】
図８は、光学装置４および冷却装置８の断面斜視図であり、上下方向（Ｚ方向）に直交する平面における断面を示す図である。
第１流路形成部９２は、図７、図８に示すように、電気光学装置４０Ｂ，４０Ｇの入射側偏光板４１および色合成光学装置４００とで第１、第２の光変調装置５Ｂ，５Ｇを囲み、第１流路１０Ｆを形成している。
第１流路１０Ｆは、上方から見てＬ字状に形成され、図８に示すように、Ｌ字状の一端側（第１の光変調装置５Ｂの―Ｙ側（図３参照））が空気導入部９１に連通し、Ｌ字状の他端側（第２の光変調装置５Ｇの＋Ｙ側（図３参照））に空気の排出口１０Ｆｅが設けられている。
【００５１】
第１流路形成部９２は、図６〜図８に示すように、外周壁部９２ａ、上面部９２ｂ、下面部９２ｃ、および仕切り壁９２ｄを有している。
外周壁部９２ａは、図８に示すように、第１、第２の光変調装置５Ｂ，５Ｇの色合成光学装置４００とは反対側に設けられ、上下方向に延出している。また、外周壁部９２ａには、電気光学装置４０Ｂ，４０Ｇの入射側偏光板４１によって閉塞される開口部が設けられている。そして、外周壁部９２ａは、電気光学装置４０Ｂ，４０Ｇの入射側偏光板４１とで、第１流路形成部９２の側壁を形成する。
【００５２】
図９は、光学装置４および冷却装置８の断面斜視図であり、電気光学装置４０Ｂ，４０Ｒおよびダクト部９を上下方向（Ｚ方向）に沿う平面で切断した断面を示す図である。
上面部９２ｂは、図６、図９に示すように、第１流路形成部９２の上側を形成する部位であり、第１、第２の光変調装置５Ｂ，５Ｇのフレキシブル基板５３が挿通される挿通孔９２１が設けられている。また、上面部９２ｂは、図６に示すように、電気光学装置４０Ｒの上側が開口して形成されており、この開口部から第３の光変調装置５Ｒの第１、第２の放熱部６１，６２が露出している。
【００５３】
図１０は、図９におけるＡ部の拡大図である。図１１は、光学装置４および冷却装置８の断面図であり、第１の光変調装置５Ｂを正面とし、第１の光変調装置５Ｂのフレキシブル基板５３が挿通された挿通孔９２１を通る平面で切断した断面を示す図である。
上面部９２ｂは、図１０、図１１に示すように、空気導入部９１の上面部９１ａに繋がり、上面部９１ａより上側に位置する上壁部９２２、上壁部９２２よりさらに上側に位置する凸状部９２３を有している。挿通孔９２１は、この凸状部９２３に形成されている。
なお、空気導入部９１は、第１の光変調装置５Ｂの−Ｙ側（図３参照）から見て、上面部９１ａが液晶パネル５１（図５参照）の上方に位置し、下面部９１ｂが液晶パネル５１（図５参照）の下方に位置するように形成されている。
そして、第１の光変調装置５Ｂの第１、第２の放熱部６１，６２は、上壁部９２２の内面側に配置されている。
【００５４】
詳細な図は省略するが、第２の光変調装置５Ｇの第１、第２の放熱部６１，６２も、第１の光変調装置５Ｂの第１、第２の放熱部６１，６２と同様に、上面部９２ｂの内面側に配置される。
このように、ダクト部９は、第１、第２の光変調装置５Ｂ，５Ｇのそれぞれのフレキシブル基板５３が挿通される挿通孔９２１を有し、第１、第２の光変調装置５Ｂ，５Ｇにおける第１、第２の放熱部６１，６２を囲むように形成されている。すなわち、第１、第２の光変調装置５Ｂ，５Ｇにおける第１、第２の放熱部６１，６２は、複数の突起部６１２，６２２を含めて第１流路１０Ｆ内に配置されている。
【００５５】
下面部９２ｃは、図７に示すように、第１流路形成部９２の下側を形成する。
仕切り壁９２ｄは、図８に示すように、電気光学装置４０Ｇと電気光学装置４０Ｒとの間に外周壁部９２ａと離間して設けられ、上下方向に延出している。前述した排出口１０Ｆｅは、外周壁部９２ａと仕切り壁９２ｄとの間に形成されている。
【００５６】
第２流路形成部９３は、空気導入部９１から導入された冷却空気の一部を電気光学装置４０Ｒの下方に導く第２流路２０Ｆを形成している。第２流路形成部９３は、図７、図９に示すように、空気導入部９１に連通し、色合成光学装置４００の下方を経由して電気光学装置４０Ｒの下方まで延出している。すなわち、ダクト部９は、第１流路形成部９２の厚み（Ｚ方向の寸法）が、第２流路形成部９３の厚みより薄く形成されている。
【００５７】
〔光学装置の冷却空気の流れ〕
次に、冷却ファン８１から送風された冷却空気の流れについて説明する。
冷却ファン８１から送風された冷却空気は、図８、図９に示すように、空気導入部９１に導入され、一部が第１流路１０Ｆを流通し、残部が第２流路２０Ｆを流通する。
第１流路１０Ｆには、冷却空気が第１の光変調装置５Ｂの第２の光変調装置５Ｇとは反対側から、第１の光変調装置５Ｂ（電気光学装置４０Ｂ）、第２の光変調装置５Ｇ（電気光学装置４０Ｇ）の順で流通する。第１流路１０ＦがＬ字状に形成されているので、冷却ファン８１から送風された冷却空気は、第１の光変調装置５Ｂ、第２の光変調装置５Ｇのそれぞれに対し、−Ｙ側から＋Ｙ側（図３参照）に流れる。すなわち、第１流路１０Ｆには、＋Ｙ方向（第１方向）に冷却空気が流れる。
【００５８】
具体的に、空気導入部９１に導入された冷却空気の一部は、図１１に示すように、第１の光変調装置５Ｂの−Ｙ側（図３参照）から電気光学装置４０Ｂに向かう。
電気光学装置４０Ｂの支持部４３には、第１の光変調装置５Ｂの両側に開口部４３２ｈ（図２参照）が設けられているので、電気光学装置４０Ｂに向かった冷却空気は、第１の光変調装置５Ｂの−Ｙ側となる開口部４３２ｈから電気光学装置４０Ｂ内に流入し、第１の光変調装置５Ｂ、入射側偏光板４１、および射出側偏光板４２を冷却する。すなわち、電気光学装置４０Ｂは、第１の光変調装置５Ｂにおける＋Ｙ方向（第１方向）に流れる冷却空気によって冷却される。
【００５９】
また、空気導入部９１は、上面部９１ａおよび下面部９１ｂが第１の光変調装置５Ｂの液晶パネル５１に対して前述した位置に形成されているので、この液晶パネル５１には、空気導入部９１から直線的に冷却空気が送風される。すなわち、この液晶パネル５１には、冷却ファン８１から送風された冷却空気の風速と同程度の風速の冷却空気が送風される。
【００６０】
一方、第１の光変調装置５Ｂの第１、第２の放熱部６１，６２は、第１の光変調装置５Ｂの−Ｙ側（図３参照）から見て、空気導入部９１の上面部９１ａより上方に位置しているので（図１１参照）、この第１、第２の放熱部６１，６２には、風速が弱められた冷却空気が送風される。しかしながら、第１、第２の放熱部６１，６２の複数の突起部６１２，６２２は、第１の光変調装置５ＢにおけるＹ方向、およびＺ方向において互いに離間しているので、風速が弱められた冷却空気であっても、滞留することなく、全体として第１方向に流れる。そして、第１の光変調装置５Ｂは、集積回路５３１の両側が放熱される。
【００６１】
そして、電気光学装置４０Ｂを冷却した空気は、第１の光変調装置５Ｂの＋Ｙ側（図３参照）から流出し、第２の光変調装置５Ｇの−Ｙ側（図３参照）から電気光学装置４０Ｇ内に流入する。具体的に、電気光学装置４０Ｂを冷却した空気は、電気光学装置４０Ｇの支持部４３における第２の光変調装置５Ｇの−Ｙ側となる開口部４３２ｈから電気光学装置４０Ｇ内に流入し、電気光学装置４０Ｇを冷却する。すなわち、電気光学装置４０Ｇは、第２の光変調装置５Ｇにおける＋Ｙ方向（第１方向）に流れる冷却空気によって冷却される。
【００６２】
また、第２の光変調装置５Ｇの第１、第２の放熱部６１，６２には、第１の光変調装置５Ｂの第１、第２の放熱部６１，６２と同様に、風速が弱められた冷却空気が送風されるが、複数の突起部６１２，６２２が、第２の光変調装置５ＧにおけるＹ方向、およびＺ方向において互いに離間しているので、風速が弱められた冷却空気であっても、滞留することなく、全体として第１方向に流れる。そして、第２の光変調装置５Ｇは、集積回路５３１の両側が放熱される。
【００６３】
電気光学装置４０Ｇを冷却した空気は、第２の光変調装置５Ｇの＋Ｙ側となる支持部４３の開口部４３２ｈから流出し、排出口１０Ｆｅを経てダクト部９外に排出される。
このように、冷却ファン８１から送風された冷却空気の一部は、第１の光変調装置５Ｂ、第２の光変調装置５Ｇのそれぞれに対して＋Ｙ方向（第１方向）に、また、この順で流れ、電気光学装置４０Ｂ，４０Ｇを冷却する。
【００６４】
第２流路２０Ｆに向かった冷却空気は、図９に示すように、電気光学装置４０Ｒの下側（−Ｚ側）から電気光学装置４０Ｒ内に流入する。電気光学装置４０Ｒ内に流入した冷却空気は、第３の光変調装置５Ｒ、入射側偏光板４１、および射出側偏光板４２を冷却し、電気光学装置４０Ｒの上側から、ダクト部９外に流出する。すなわち、第２流路２０Ｆは、第３の光変調装置５Ｒに対して＋Ｚ方向（第２方向）に冷却空気を流通させる。
また、第３の光変調装置５Ｒにおいては、冷却空気は、液晶パネル５１側から第１、第２の放熱部６１，６２に向かう。そして、この第１、第２の放熱部６１，６２に向かった冷却空気は、複数の突起部６１２，６２２の間を流れてダクト部９外に流出する。すなわち、第３の光変調装置５Ｒは、第１、第２の放熱部６１，６２が液晶パネル５１よりも第２流路２０Ｆの下流側に配置され、集積回路５３１の両側が放熱される。
【００６５】
このように、冷却ファン８１から送風された冷却空気は、一部が電気光学装置４０Ｂ，４０Ｇにおいてこの順で第１方向に流れて電気光学装置４０Ｂ，４０Ｇを冷却し、残部が電気光学装置４０Ｒにおいて第２方向に流れて電気光学装置４０Ｒを冷却する。
そして、第１流路１０Ｆおよび第２流路２０Ｆからダクト部９外に流出した空気は、前述した排気ファン（図示省略）によって外装筐体２の排気口（図示省略）から外装筐体２の外部に排出される。
【００６６】
以上説明したように、本実施形態のプロジェクター１によれば、以下の効果を得ることができる。
（１）冷却装置８は、電気光学装置４０Ｂの側方から電気光学装置４０Ｂ，４０Ｇの順で冷却空気を流通させる第１流路１０Ｆを有し、この第１流路１０Ｆ内には、第１、第２の光変調装置５Ｂ，５Ｇの第１、第２の放熱部６１，６２が配置されている。これによって、ダクト部９における第１流路形成部９２の厚みを薄く形成しつつ、液晶パネル５１、入射側偏光板４１、および射出側偏光板４２はもとより、集積回路５３１の効率的な冷却が可能となる。よって、電気光学装置４０Ｂ，４０Ｇを効率良く冷却しつつ、小型化や薄型化が可能なプロジェクター１を提供することが可能となる。
【００６７】
（２）第１、第２の放熱部６１，６２は、複数の突起部６１２，６２２を有しているので、表面積が大きく形成される。また、第１、第２の光変調装置５Ｂ，５Ｇの複数の突起部６１２，６２２は、第１流路１０Ｆ内に配置され、Ｚ方向に複数配設され、互いに隣り合う突起部６１２，６２２の間に、＋Ｙ方向（第１方向）に流れる空気が流通可能に離間している。これによって、第１流路１０Ｆ内の突起部６１２，６２２における滞留を抑え、冷却空気を＋Ｙ方向に滑らかに流通させることが可能となる。よって、集積回路５３１のより効率的な冷却が可能となるので、第１、第２の放熱部６１，６２の小型化、ひいてはプロジェクター１のより小型化や薄型化が可能となる。
【００６８】
（３）集積回路５３１は、第１、第２の放熱部６１，６２によって両側が放熱されるので、より効率的に冷却される。よって、第１、第２の放熱部６１，６２の上下方向（Ｚ方向）の小型化、ひいてはプロジェクター１のさらなる小型化や薄型化が可能となる。
【００６９】
（４）ダクト部９は、冷却ファン８１から送風された冷却空気の一部が流通する第１流路１０Ｆに加え、残部が流通する第２流路２０Ｆを備えている。これによって、冷却対象を冷却する前の冷却空気を２つの流路に流通させるので、電気光学装置４０Ｂ，４０Ｇ，４０Ｒの効率的な冷却が可能となる。
また、第２流路２０Ｆに流通する冷却空気は、電気光学装置４０Ｒに対して＋Ｚ方向（第２方向）に流れ、第３の光変調装置５Ｒは、第１、第２の放熱部６１，６２が液晶パネル５１よりも第２流路２０Ｆの下流側に配置されている。そして、第３の光変調装置５Ｒの第１、第２の放熱部６１，６２は、複数の突起部６１２，６２２がＺ方向において空気が流通するように離間して形成されている。これによって、この突起部６１２，６２２における滞留を抑え、冷却空気を＋Ｚ方向に滑らかに流通させることが可能となると共に、集積回路５３１の放熱により温まった空気を液晶パネル５１とは反対側に流通させることができる。よって、第３の光変調装置５Ｒの効率的な冷却が可能となる。
【００７０】
（５）第１、第２、第３の光変調装置は、共通の第１、第２の放熱部６１，６２をそれぞれ備えている。そして、第１、第２の放熱部６１，６２の複数の突起部６１２，６２２は、第１方向および第２方向において空気が流通するように離間して形成されている。これによって、第１、第２の光変調装置５Ｂ，５Ｇと第３の光変調装置５Ｒとで冷却空気が流れる方向が異なっても、各光変調装置５が備える液晶パネル５１および集積回路５３１を効率よく冷却することが可能となる。よって、各光変調装置５の第１、第２の放熱部６１，６２を共通の部材で構成できることによる部品製造の合理化やプロジェクター１製造の簡素化が可能となる。
【００７１】
なお、本発明は上述した実施形態に限定されず、上述した実施形態に種々の変更や改良などを加えることが可能である。変形例を以下に述べる。
（変形例１）
前記実施形態の第１、第２の光変調装置５Ｂ，５Ｇにおいて、第１、第２の放熱部６１，６２とは異なる形状の放熱部を用い、この放熱部に対応するダクト部を形成してもよい。
図１２は、変形例の第１、第２の放熱部１６１，１６２、およびダクト部１９０の一部を示す断面図である。
図１２に示すように、第１の放熱部１６１は、ベース部１６１１、ベース部１６１１に対して屈曲する屈曲部１６１２、およびベース部１６１１から集積回路５３１とは反対側に突出する複数の突起部１６１３を有している。
ベース部１６１１は、前記実施形態のベース部６１１と同様の形状を有している。屈曲部１６１２は、ベース部１６１１の液晶パネル５１とは反対側の端部から屈曲し、フレキシブル基板５３から離間する方向に延出している。
第２の放熱部１６２は、第１の放熱部１６１と同様に、ベース部１６２１、屈曲部１６２２、および複数の突起部１６２３を有している。
【００７２】
ダクト部１９０は、屈曲部１６１２，１６２２とでベース部１６１１，１６２１を囲むように形成されている。すなわち、屈曲部１６１２，１６２２は、ダクト部１９０とで第１流路１０Ｆの一部を形成する。
【００７３】
この構成によれば、第１、第２の放熱部１６１，１６２には、屈曲部１６１２，１６２２が設けられているので、光変調装置５をＺ方向（第２方向）において大型化することなく第１、第２の放熱部１６１，１６２の表面積を大きくすることができる。よって、電気光学装置４０Ｂ，４０Ｇをさらに効率良く冷却しつつ、小型化や薄型化が可能なプロジェクター１を提供することが可能となる。また、前記実施形態のダクト部９に比べ、ダクト部１９０を簡素な形状で形成することが可能となる。
なお、この構成の場合、突起部１６１３，１６２３は、第１方向（屈曲部１６１２，１６２２に平行な方向）に延出する形状であってもよい。すなわち、Ｚ方向（第２方向）において複数設けられ、互いに隣り合う突起部１６１３，１６２３の間に空気が流通可能に離間していれば、第１方向に複数配置されないように構成してもよい。
【００７４】
（変形例２）
前記実施形態の第１、第２の光変調装置５Ｂ，５Ｇにおける放熱部（第１、第２の放熱部６１，６２）は、全てが第１流路１０Ｆ内に位置するように配置されているが、放熱部の一部が第１流路１０Ｆ内に配置されるように構成してもよい。
【００７５】
（変形例３）
前記実施形態および変形例１の光変調装置５は、集積回路５３１の両側に配置される放熱部を備えているが、集積回路５３１のいずれか一方の側に配置される放熱部（前記実施形態の場合、例えば、パネル枠部７１と一体に形成された第１の放熱部６１）を備える構成であってもよい。
【００７６】
（変形例４）
前記実施形態では、３つの電気光学装置４０Ｒ，４０Ｇ，４０Ｂのうちの電気光学装置４０Ｂ，４０Ｇに対し、冷却空気が第１方向に流通するように構成されているが、電気光学装置４０Ｒ，４０Ｇに対して冷却空気が第１方向に流通するように構成されてもよい。
また、３つの電気光学装置４０Ｒ，４０Ｇ，４０Ｂ全てにおいて順に冷却空気が第１方向に流通する態様であってもよい。この態様の場合、ベース部６１１，６２１から突出する複数の突起部は、円柱状でなく、第１方向に延出する形状であってもよい。すなわち、第２方向において複数配設され、互いに隣り合う突起部の間に空気が流通可能に離間していればよい。
【００７７】
（変形例５）
前記実施形態の電気光学装置４０が、入射側偏光板４１および射出側偏光板４２以外の光学部品、例えば、光変調装置５から射出された光の位相差を補償する補償素子や位相差板等を備える構成であってもよい。
【００７８】
（変形例６）
前記実施形態のプロジェクター１は、光変調装置５が透過型の液晶パネル５１を備えていているが、反射型の液晶パネルを備える構成であってもよい。
また、前記実施形態のプロジェクター１は、Ｒ光、Ｇ光、およびＢ光に対応する３つの光変調装置５を用いるいわゆる３板方式を採用しているが、これに限らず、単板方式を採用してもよく、あるいは、２つまたは４つ以上の光変調装置を備えるプロジェクターにも適用できる。
【００７９】
（変形例７）
前記実施形態の光源装置３１は、放電型の光源３１１を採用しているが、その他の方式の光源や発光ダイオード、レーザーダイオード等の固体光源で構成してもよい。
【符号の説明】
【００８０】
１…プロジェクター、５…光変調装置、５Ｂ…第１の光変調装置、５Ｇ…第２の光変調装置、５Ｒ…第３の光変調装置、８…冷却装置、９，１９０…ダクト部、１０Ｆ…第１流路、２０Ｆ…第２流路、５１…液晶パネル（変調装置本体）、５３…フレキシブル基板、６１，１６１…第１の放熱部、６２，１６２…第２の放熱部、８１…冷却ファン、５３１…集積回路、６１１，６２１，１６１１，１６２１…ベース部、６１２，６２２，１６１３，１６２３…突起部、１６１２，１６２２…屈曲部。
【図１】
2018017963.tif 000003
【図２】
2018017963.tif 000004
【図３】
2018017963.tif 000005
【図４】
2018017963.tif 000006
【図５】
2018017963.tif 000007
【図６】
2018017963.tif 000008
【図７】
2018017963.tif 000009
【図８】
2018017963.tif 000010
【図９】
2018017963.tif 000011
【図１０】
2018017963.tif 000012
【図１１】
2018017963.tif 000013
【図１２】
2018017963.tif 000014